(57)【特許請求の範囲】
【請求項１】
上面に敷物が敷かれる床板と、
前記床板の上面と前記敷物の下面との間であって仰臥位の使用者の身長方向と交差する幅方向に沿って配置され、且つ前記幅方向に長い形状の調整部材と、
前記床板の少なくとも幅方向両端に前記身長方向に沿って間隔を空けて設けられ、前記調整部材の少なくとも両端を前記身長方向への移動を制限しつつ着脱自在に保持する複数の保持領域と、を備え、
前記調整部材は、複数の前記保持領域の中から選択された前記保持領域により保持され、
前記保持領域に保持された前記調整部材の高さが調整自在な構成を有することを特徴とするベッド。
【請求項２】
前記保持領域に保持された前記調整部材の高さを調整する高さ調整部を備え、
前記高さ調整部は、前記保持領域に保持された前記調整部材と前記床板の上面との間に介在するスペーサであることを特徴とする請求項１に記載のベッド。
【請求項３】
複数の前記保持領域は、前記床板の幅方向両端に前記身長方向に沿って間隔を空けて設けられ、且つ前記調整部材の両端を保持する溝であることを特徴とする請求項１又は２に記載のベッド。
【請求項４】
複数の前記保持領域は、前記床板の上面に、前記幅方向に沿って形成された溝であることを特徴とする請求項１又は２に記載のベッド。
【請求項５】
前記調整部材は、前記溝内に収納されていることを特徴とする請求項４に記載のベッド。
【発明の詳細な説明】
【技術分野】
【０００１】
本発明は、寝心地を調整可能なベッドに関する。
【背景技術】
【０００２】
睡眠は、心身を休養させて疲労回復を図るために重要である。睡眠時間が不十分であったり睡眠の質が低下すると、心身が十分に休養できずに疲労が蓄積し、日中の活動に支障を来してしまう。
睡眠の質を高めるためには、使用者に適した寝具を使用することが重要である。寝具が使用者に適していると、睡眠中に筋肉が弛緩し、且つ寝返りが打ち易いことから、睡眠の質が向上する。反対に、寝具が使用者に適していないと、睡眠中に筋肉が緊張し、且つ寝返りを打つ時に大きな筋力が必要になることから、睡眠の質が低下する。
【０００３】
ベッドを使用者に適した硬さに調整する従来技術として、例えば特許文献１に記載されたベッドが知られている。特許文献１に記載されたベッドは、気体を封入した略円柱形状のチューブをベッド基台の上に複数本配置しており、これらのチューブの上にマットレス等の敷物を敷く構成を採っている。
また、敷物を使用者に適した硬さに調整する従来技術として、例えば特許文献２に記載されたマットレスが知られている。特許文献２に記載されたマットレスは、マットレス内を横断するように設けられた複数の装着用空所に対して硬さ調整材を選択的に装着することにより、マットレスの硬さを局所的に調整可能としている。
【先行技術文献】
【特許文献】
【０００４】
【特許文献１】特開昭５９−２３０５１０号公報
【特許文献２】特許第６６１３４３４号公報
【発明の概要】
【発明が解決しようとする課題】
【０００５】
特許文献１に記載された技術において寝心地の調整は各チューブに封入された気体の圧力を変化させることでしか行えなかったため、精度の高い調整が行えないという課題があった。特許文献２に記載された技術では専用マットレスの使用が前提になっており、硬さ調整材を装着するための装着用空所を備えていないマットレス、言い換えれば寝心地の調整機能を有していない敷物には適用できなかった。
本発明は、このような事情に鑑みてなされたものであり、その目的は、寝心地の調整機能を有していない敷物を使用しながらも寝心地を高い精度で調整できるようにすることにある。
【課題を解決するための手段】
【０００６】
上記課題を解決するために、本発明に係るベッドは、上面に敷物が敷かれる床板と、前記床板の上面と前記敷物の下面との間であって仰臥位の使用者の身長方向と交差する幅方向に沿って配置され、且つ前記幅方向に長い形状の調整部材と、前記床板の少なくとも幅方向両端に前記身長方向に沿って間隔を空けて設けられ、前記調整部材の少なくとも両端を前記身長方向への移動を制限しつつ着脱自在に保持する複数の保持領域と、を備え、前記調整部材は、複数の前記保持領域の中から選択された前記保持領域により保持され、前記保持領域に保持された前記調整部材の高さが調整自在な構成を有することを特徴とする。
【発明の効果】
【０００７】
本発明によれば、寝心地の調整機能を有していない敷物を使用しながらも寝心地を高い精度で調整できる。
【図面の簡単な説明】
【０００８】
【図１】第１実施形態のベッドの説明図であり、（ａ）はマットレスを仮想線で描いたベッドを使用者の足下側からみた斜視図、（ｂ）は調整棒とスペーサの斜視図である。
【図２】図１のＡ−Ａ断面図である。
【図３】（ａ）は第１実施形態の保持溝群を示す斜視図、（ｂ）は調整棒を保持溝に保持させるときの手順を示す図である。
【図４】調整棒の種類を示す斜視図である。
【図５】調整棒を保持溝に保持させた状態を示す斜視図である。
【図６】調整棒を保持させた床板の上にマットレスを敷いた状態を示す断面図である。
【図７】（ａ）は調整棒の端部が嵌まる湾曲凹所を設けた第１スペーサの斜視図、（ｂ）は平板形状の第２スペーサの斜視図、（ｃ）は第１スペーサによって調整棒の端部を保持した状態を示す斜視図、（ｄ）は第１スペーサと１枚の第２スペーサとによって調整棒の端部を保持した状態を示す斜視図、（ｅ）は第１スペーサと２枚の第２スペーサとによって調整棒の端部を保持した状態を示す斜視図である。
【図８】調整棒の非使用時におけるマットレスの沈み込み深さの測定例１を示す図である。
【図９】第１調整棒の使用時におけるマットレスの沈み込み深さの測定例２を示す図である。
【図１０】第１調整棒と第２スペーサの使用時におけるマットレスの沈み込み深さの測定例３を示す図である。
【図１１】第２調整棒と第２スペーサの使用時におけるマットレスの沈み込み深さの測定例４を示す図である。
【図１２】第３調整棒と第２スペーサの使用時におけるマットレスの沈み込み深さの測定例５を示す図である。
【図１３】第２実施形態のベッドの説明図である。
【図１４】第２実施形態のベッドにおいて、調整棒を保持溝に保持させる手順を示す図である。
【図１５】第３実施形態のベッドが備える収納溝を示す図である。
【図１６】第３実施形態のベッドにおいて、調整用蓋板材を収納溝に保持させる手順を示す図である。
【図１７】調整用蓋板材の上にマットレスを敷いた状態を示す断面図である。
【図１８】第４実施形態のベッドが備える収納溝を示す図である。
【図１９】第４実施形態のベッドにおいて、調整用蓋板材を収納溝に保持させる手順を示す図である。
【図２０】調整用蓋板材の上にマットレスを敷いた状態を示す断面図である。
【発明を実施するための形態】
【０００９】
以下、本発明の実施形態について図面を参照して説明する。但し、各実施形態に記載される構成要素、種類、組み合わせ、形状、その相対配置などは特定的な記載がない限り、この発明の範囲をそれのみに限定する主旨ではなく単なる説明例に過ぎない。そして、一の実施形態に適用された技術を他の実施形態に対して適用することも制限されない。
【００１０】
＜ベッドの概略＞
最初に、寝心地を調整可能なベッドの概略について説明する。
図１（ａ）はマットレス２を仮想線で描いた第１実施形態のベッド１を使用者の足下側からみた斜視図であり、図１（ｂ）は調整棒３とスペーサ４の斜視図である。
なお、ベッド１の説明は、仰臥位の使用者を基準にして行うこととする。例えば、ベッド１の長手方向は仰臥位の使用者の頭部とつま先とを結ぶ身長方向に対応し、ベッド１の短手方向は身長方向と交差する幅方向（仰臥位の使用者の左右方向）に対応する。
【００１１】
図１（ａ）（ｂ）に示すベッド１は、上面にマットレス２（敷物）が敷かれる床板１１と、床板１１の上面とマットレス２の下面との間であって仰臥位の使用者の身長方向と交差する幅方向に沿って配置される一本、又は複数本の調整棒３（幅方向に長い形状の調整部材）と、床板１１の幅方向両端に仰臥位の使用者の身長方向に沿って間隔を空けて設けられ、調整棒３の少なくとも両端を身長方向への移動を制限しつつ着脱自在に保持する複数の保持溝Ｇ（保持領域、保持部）と、を備えており、保持溝Ｇに保持された調整棒３の高さが調整自在な構成を有することを特徴としている。
保持溝Ｇは、サイドボード１３の内表面に対して、身長方向に沿って一定の間隔を空けて固定された複数のブロック片１２ａ（保持部材）によって形成されている。調整棒３の高さの調整は、例えばスペーサ４（高さ調整部）を用いてもよいし、直径の異なる複数種類の調整棒３を予め用意しておき、ブロック片１２ａに保持させる調整棒３の種類（直径、上端高さ）を選択するようにしてもよい。
【００１２】
以上の構成を備えたベッド１の使用時には、保持溝Ｇに調整棒３の両端部を保持させた状態で、複数の調整棒３の上に跨がるようにマットレス２を敷き、使用者はマットレス２の上に仰臥姿勢で寝る。
本実施形態におけるマットレス２は、例えば発泡ウレタン製の中材を側生地で包んだものであり、敷物の一種である。敷物とは、中材を側生地で包んだ扁平形状の部材であり、保温性、柔軟性、及び弾力性を備え、且つ寝姿勢の使用者と床板１１との間に介在する寝具の一種である。従って、敷物には、マットレス２の他、敷き布団や敷パッド等が含まれる。
なお、敷物は、寝心地の調整機能を備えていない一般的なものが使用される。
【００１３】
使用者がマットレス２の上に寝ると、使用者の体重によってマットレス２が沈み込む。マットレス２の沈み込み深さは、調整棒３が介在するか否かによって変わる。例えば、マットレス２は、調整棒３が介在することにより調整棒３が介在しないときと比較して、使用者の仰臥時における沈み込み深さが小さくなる。また、使用者は、調整棒３が介在することにより、調整棒３が介在しないときと比較して硬い感触、或いは強い押圧感を得ることができる。
マットレス２の沈み込み深さ、及び使用者が得る感触は、調整棒３の保持位置（使用者の身長方向に沿った調整棒３の位置）と、調整棒３の上端部の高さ位置（以下、上端高さと称する）とに応じて変化する。このため、調整棒３の保持位置と調整棒３の上端高さとを適宜定めることにより、使用者の寝心地を高い精度で調整できる。
以上より、本実施形態のベッド１によれば、寝心地の調整機能を有していない一般的なマットレス２（敷物）を使用しながらも寝心地を高い精度で調整できる。
【００１４】
＜第１実施形態＞
以下、第１実施形態のベッド１について説明する。
図１（ａ）に示すベッド１の寸法は、例えば、幅Ｗ１が９０ｃｍ乃至２００ｃｍ、身長方向の長さＬ１が１９０ｃｍ乃至２２５ｃｍ、高さＨ１が４０ｃｍ±１５ｃｍであるが、これらの寸法に限定されない。
ベッド１は、上面にマットレス２が敷かれる床板１１と、床板１１の幅方向両端に、身長方向に沿って取り付けられた一対のサイドボード１３と、床板１１の頭部側端縁に、幅方向に沿って取り付けられた天板（ヘッドボード）１４と、床板１１の足先側端縁に、幅方向に沿って取り付けられたフットボード１５と、を備えている。床板１１、サイドボード１３、天板１４、及びフットボード１５は、例えば厚さが３ｃｍ乃至４ｃｍ程度の木製の板（木板）によって作製されている。
天板１４の上端はサイドボード１３の各上端やフットボード１５の上端よりも上方に位置している。図示の都合上、第１実施形態のベッド１では、一対のサイドボード１３の各上端高さとフットボード１５の上端高さとを揃えているが、フットボード１５の上端高さを一対のサイドボード１３の各上端高さよりも高くしてもよい。
また、図２に示すように、各サイドボード１３の下縁と天板１４との間、及び各サイドボード１３の下縁とフットボード１５との間には、三角形状の脚補強板１６が取り付けられている。
【００１５】
図２は、図１のＡ−Ａ断面図である。図２に示すように、床板１１は、上面がサイドボード１３の上端よりもマットレス２の厚さ分だけ下側に位置し、且つ上面が水平になるように取り付けられている。本実施形態において、床板１１の上面は、例えば、サイドボード１３の上端よりも１０ｃｍ下側に位置している。床板１１は、補強桟１７と支持桟１８とによって下側から支えられている。
補強桟１７は、床板１１を下側から支える部材であり、本実施形態では、例えば一辺が３ｃｍ乃至４ｃｍ程度の角材（断面が四角形状の木材）によって作製されている。補強桟１７は、一対のサイドボード１３の間に、ベッド１の幅方向に沿って架け渡されており、且つ身長方向に一定の間隔を空けて複数本取り付けられている。床板１１は、補強桟１７の上面に載置されており、ネジや釘によって補強桟１７に固定されている。
支持桟１８は、補強桟１７の端部を支持する部材であり、本実施形態では、例えば一辺が３ｃｍ乃至４ｃｍ程度の角材によって作製されている。支持桟１８は、一対のサイドボード１３の内表面に、身長方向に沿って水平に配置されており、ネジや釘によってサイドボード１３に固定されている。補強桟１７の両端部は各支持桟１８の上面に載置されており、ネジや釘によって支持桟１８に固定されている。
【００１６】
図３（ａ）は第１実施形態の保持溝群１２を示す斜視図、図３（ｂ）は調整棒３を保持溝Ｇに保持させるときの手順を示す図である。
図３（ａ）に示すように、各サイドボード１３の内表面には、複数のブロック片１２ａ（保持部材）が身長方向に沿って一定の間隔を空けて固定されている。本実施形態において、ブロック片１２ａは直方体形状の木材によって構成されており、ネジや釘によってサイドボード１３に固定されている。
ブロック片１２ａの固定間隔は調整棒３の直径に基づいて定められている。後述するように、本実施形態の調整棒３は、直径等が異なる複数種類が用意されている。このため、各ブロック片１２ａを固定する間隔は、最大直径の調整棒３の直径に対して許容寸法を加えた寸法に定められている。
【００１７】
身長方向に隣り合うブロック片１２ａ同士の間には、調整棒３（棒状の調整部材）の両端を身長方向への移動を制限しつつ着脱自在に保持する複数の保持溝Ｇ（保持領域）が形成される。従って、複数のブロック片１２ａは、保持領域を形成する保持部材である。
ベッド１では、複数のブロック片１２ａを一対のサイドボード１３の各内表面に、身長方向に沿って間隔を空けて固定することによって保持溝群１２（保持溝Ｇ１乃至Ｇ２３）を形成しているため、構成が簡単であり、作製も容易である。
図３（ｂ）に示すように、調整棒３を保持溝Ｇに保持させるときには、保持溝Ｇよりも上方から調整棒３の端部を保持溝Ｇ内に落とし込めばよい。
【００１８】
＜調整棒３＞
図４は調整棒３の種類を示す斜視図であり、図５は調整棒３を保持溝Ｇに保持させた状態を示す斜視図であり、図６は調整棒３を保持させた床板１１の上にマットレス２を敷いた状態を示す断面図である。
図４には、第１調整棒３Ａ乃至第７調整棒３Ｇを例示している。これらの調整棒３Ａ乃至３Ｇはマットレス２と同等以上の硬さを有している。
第１調整棒３Ａは直径２５ｍｍのステンレス製の丸鋼管であり、第２調整棒３Ｂは直径３０ｍｍのステンレス製の丸鋼管である。第３調整棒３Ｃは直径３５ｍｍの木製丸棒であり、第４調整棒３Ｄは直径３０ｍｍの木製丸棒である。第５調整棒３Ｅは直径３０ｍｍの合成樹脂（例えば、ポリエチレン、塩化ビニル、エチレン酢酸ビニル（ＥＶＡ）、合成ゴム、ウレタン）製の丸管又は丸棒であり、第６調整棒３Ｆは合成樹脂製の穴あき丸管（周面に多数の通気孔が形成された丸管）である。第７調整棒３Ｇは一辺が３０ｍｍの木製三角棒である。
なお、第１調整棒３Ａ乃至第７調整棒３Ｇは例示であり、他の種類の調整棒３を使用することもできる。
【００１９】
図５に示すように、各調整棒３の両端は複数のブロック片１２ａが形成する保持溝Ｇ内に保持される。本実施形態のベッド１では、複数の保持溝Ｇが身長方向に間隔を空けて形成されているため、使用者の好みに応じて調整棒３を保持させる保持溝Ｇを選択する。図５に示す例では、保持溝Ｇ７、Ｇ１０、Ｇ１２、Ｇ１５のそれぞれに１本ずつ調整棒３を保持させている。
図６に示すように、調整棒３を保持させた床板１１の上にマットレス２を敷くと、マットレス２の上面は調整棒３の位置において局所的に盛り上がる。使用者がマットレス２の上に仰臥姿勢で寝ると、使用者の体重によってマットレス２が沈み込む。マットレス２の沈み込み深さは調整棒３の有無によって変わり、調整棒３を保持させた箇所は調整棒３を保持させなかったときと比較して沈み込み深さが小さくなる。
また、マットレス２の下面は、調整棒３の周囲において床板１１の上面から上方に離れ、調整棒３に沿って空洞ＣＶが形成される。この空洞ＣＶを介して外気が流通するため、マットレス２の下面に籠もった湿気を容易に放出できるようになる。
【００２０】
以下、図４を参照し、各調整棒３Ａ乃至３Ｇについて詳細に説明する。
第１調整棒３Ａ、及び第２調整棒３Ｂは、何れも丸鋼管によって作製されている。丸鋼管は高い強度を有しているため、第１調整棒３Ａ、及び第２調整棒３Ｂを保持溝Ｇに保持させることにより、使用者に対して硬い感触や押圧感を与えることができる。そして、第２調整棒３Ｂは第１調整棒３Ａと比較して直径が大きいため、第２調整棒３Ｂを保持溝Ｇに保持させることにより第１調整棒３Ａを使用したときと比較して硬い感触や強い押圧感を使用者に与えることができる。
また、第１調整棒３Ａ、及び第２調整棒３Ｂの素材であるステンレス鋼は良好な熱伝導性を有しているため、管内に外気を流通させることによりマットレス２内の温度を調整することもできる。
【００２１】
第３調整棒３Ｃ、及び第４調整棒３Ｄは何れも木製丸棒によって作製されている。第３調整棒３Ｃ、及び第４調整棒３Ｄを保持溝Ｇに保持させることにより、第１調整棒３Ａ、及び第２調整棒３Ｂを保持溝Ｇに保持させたときと同様に、使用者に対して硬い感触や押圧感を与えることができる。但し、木材は、丸鋼管と比較して柔らかいため、第３調整棒３Ｃ、及び第４調整棒３Ｄを保持溝Ｇに保持させることにより、丸鋼管で作製された第１調整棒３Ａ、及び第２調整棒３Ｂと比較して、使用者に対して柔らかい感触を与えることができる。
そして、第３調整棒３Ｃは第４調整棒３Ｄと比較して直径が大きいため、第３調整棒３Ｃを保持溝Ｇに保持させることにより第４調整棒３Ｄを保持溝Ｇに保持させたときと比較して硬い感触や強い押圧感を使用者に与えることができる。また、木材は、吸湿や放湿を行うことができるため、第３調整棒３Ｃ、及び第４調整棒３Ｄを保持溝Ｇに保持させることにより、湿度の調整を行うことができる。
さらに、第３調整棒３Ｃ、及び第４調整棒３Ｄの両端を後述するスペーサ４によって持ち上げると、使用者が仰臥姿勢で寝たときに軸方向の中央部分が下側に押し付けられて全体として湾曲凹状にしなるため、このようなしなり形状を好む使用者の寝心地を改善できる。
【００２２】
第５調整棒３Ｅは合成樹脂製の丸管又は丸棒によって作製され、第６調整棒３Ｆは合成樹脂製の丸管によって作製されている。第５調整棒３Ｅ、及び第６調整棒３Ｆもまた保持溝Ｇに保持させることにより使用者に対して硬い感触や押圧感を与えることができる。
また、合成樹脂製の丸管は丸鋼管よりも軽量であるため、第５調整棒３Ｅ、及び第６調整棒３Ｆは、第１調整棒３Ａ乃至第４調整棒３Ｄよりも軽量化が図れ、取り扱いの容易化が図れる。
また、第５調整棒３Ｅ、及び第６調整棒３Ｆの両端を後述するスペーサ４によって持ち上げると、第３調整棒３Ｃ、及び第４調整棒３Ｄと同様に使用者が仰臥姿勢で寝たときに軸方向の中央部分が下側に押し付けられて全体として湾曲凹状にしなるため、このようなしなり形状を好む使用者の寝心地を改善できる。
さらに、第６調整棒３Ｆは合成樹脂製の穴あき丸管であるため、周面に穴が空いていない丸管によって作製された第５調整棒３Ｅと比較してマットレス２の下面に籠もった湿気を容易に放出させることができる。
【００２３】
第７調整棒３Ｇは三角棒であり、保持溝Ｇに保持させると一つの角部が上を向くため、使用者が仰臥姿勢で寝たときに、第１調整棒３Ａ乃至第６調整棒３Ｆと比較して強い押圧感を与えることができる。
また、第７調整棒３Ｇは木製であるため、調整棒３そのものが吸湿や放湿を行うことができる。
【００２４】
＜スペーサ４＞
図７（ａ）は調整棒３の端部が嵌まる湾曲凹所４ａを設けた第１スペーサ４Ａの斜視図、図７（ｂ）は平板形状の第２スペーサ４Ｂの斜視図、図７（ｃ）は第１スペーサ４Ａによって調整棒３の端部を保持した状態を示す斜視図、図７（ｄ）は第１スペーサ４Ａと１枚の第２スペーサ４Ｂとによって調整棒３の端部を保持した状態を示す斜視図、図７（ｅ）は第１スペーサ４Ａと２枚の第２スペーサ４Ｂとによって調整棒３の端部を保持した状態を示す斜視図である。
【００２５】
図７（ａ）に示す第１スペーサ４Ａは、上面から下側に向けて湾曲凹溝形状の湾曲凹所４ａを形成したブロック形状をしている。第１スペーサ４Ａは、例えば直方体ブロック形状の木材の上面から下側に向けて湾曲凹所４ａを形成することによって作製される。湾曲凹所４ａの最下部と第１スペーサ４Ａの下面との間隔Ｈ４は例えば１０ｍｍであるが、この間隔に限定されない。
図７（ｃ）に示すように、第１スペーサ４Ａは、保持溝Ｇに対して着脱自在に取り付けられ、装着時において床板１１の上面に載置される。調整棒３の端部は第１スペーサ４Ａの湾曲凹所４ａに嵌合されるため、本実施形態の第１スペーサ４Ａを用いることにより調整棒３の端部は床板１１の上面から１０ｍｍ上方に位置付けられる。
【００２６】
図７（ｂ）に示す第２スペーサ４Ｂは四角板形状をした部材であり、例えば厚さが１０ｍｍの四角形木板によって作製されている。第２スペーサ４Ｂは、例えば第１スペーサ４Ａと組にして用いられる。例えば、図７（ｄ）に示すように、第１スペーサ４Ａの下面と床板１１の上面との間に１枚の第２スペーサ４Ｂを介在させることにより、調整棒３の端部は床板１１の上面から２０ｍｍ上方に位置付けられる。同様に、図７（ｅ）に示すように、第１スペーサ４Ａの下面と床板１１の上面との間に２枚の第２スペーサ４Ｂを介在させることにより、本実施形態において調整棒３の端部は床板１１の上面から３０ｍｍ上方に位置付けられる。このように、第１スペーサ４Ａや第２スペーサ４Ｂを介在させることにより、調整棒３の両端部の高さ、言い換えれば調整棒３の上端高さを容易に調整することができる。
なお、図７（ｄ）、（ｅ）の例では、第２スペーサ４Ｂを第１スペーサ４Ａと組にして用いているが、第２スペーサ４Ｂを単体で（第１スペーサ４Ａと組にしないで）使用してもよい。この場合、各調整棒３の両端部は、保持溝Ｇ内において身長方向の移動が許容される。
【００２７】
＜調整棒３の作用効果＞
次に、本実施形態のベッド１に調整棒３を使用したときの作用効果について説明する。
図８は調整棒３の非使用時におけるマットレス２の沈み込み深さの測定例１を示す図、図９は第１調整棒３Ａの使用時におけるマットレス２の沈み込み深さの測定例２を示す図、図１０は第１調整棒３Ａと第２スペーサ４Ｂの使用時におけるマットレス２の沈み込み深さの測定例３を示す図、図１１は第２調整棒３Ｂと第２スペーサ４Ｂの使用時におけるマットレス２の沈み込み深さの測定例４を示す図、図１２は第３調整棒３Ｃと第２スペーサ４Ｂの使用時におけるマットレス２の沈み込み深さの測定例５を示す図である。
【００２８】
マットレス２の沈み込み深さは、専用の測定装置（特許第6355180号を参照）によって測定した。この測定装置は、加速度センサと圧力センサとを収容した複数のセンサユニットと、各センサユニットを固定する略帯状の合成樹脂材料からなる柔軟性基材と、を備えている。
測定装置による沈み込み深さの測定では、最初に、柔軟性基材をマットレス２の上面に敷くことにより、複数のセンサユニットをマットレス２の上面の所定箇所に配置する。
次に、使用者が仰臥姿勢でマットレス２の上に寝ると、マットレス２の沈み込み深さが測定される。すなわち、使用者がマットレス２の上に寝ると各センサユニットが使用者の体型や体重に応じて沈み込むため、沈み込み時の加速度や圧力を加速度センサと圧力センサによって検知し、センサユニット毎の沈み込み量をマットレス２の沈み込み深さとして取得する。
【００２９】
なお、図８乃至図１２の測定例において、使用者（被験者）の身長は１７１ｃｍ、体重は６５ｋｇである。また、マットレス２は、厚さ１２ｃｍのウレタン製マットレス２を使用した。
調整棒３は、背中に対応する７番目の保持溝Ｇ７、腰に対応する１０番目の保持溝Ｇ１０、尻に対応する１２番目の保持溝１２Ｇ、及び太股に対応する１５番目の保持溝Ｇ１５のそれぞれに保持させた。
図２に示すように、天板１４から各保持溝Ｇ（各調整棒３）までの距離は、７番目の保持溝Ｇ７までの距離Ｌ（Ｇ７）が６１ｃｍ、１０番目の保持溝Ｇ１０までの距離Ｌ（Ｇ１０）が８１ｃｍ、１２番目の保持溝Ｇ１２までの距離Ｌ（Ｇ１２）が９４ｃｍ、１５番目の保持溝Ｇ１５までの距離Ｌ（Ｇ１５）が１１４ｃｍであった。
【００３０】
図８に示すように、調整棒３の非使用時において、マットレス２における背中位置の沈み込み深さは−４．６ｃｍ、腰位置の沈み込み深さは−３．７ｃｍ、尻位置の沈み込み深さは−５．２ｃｍ、太股位置の沈み込み深さは−１．２ｃｍ、及び膝位置の沈み込み深さは−０．４ｃｍであった。
図９に示すように、第１調整棒３Ａ（直径２５ｍｍのステンレス製の丸鋼管）の使用時、言い換えれば背中、腰、尻、及び太股に対応する箇所に上端高さ２５ｍｍ相当の調整棒３を挿入したときにおいて、マットレス２における背中位置の沈み込み深さは−４．２ｃｍ、腰位置の沈み込み深さは−３．５ｃｍ、尻位置の沈み込み深さは−５．４ｃｍ、太股位置の沈み込み深さは−０．５ｃｍ、及び膝位置の沈み込み深さは−０．６ｃｍであった。
図１０に示すように、第１調整棒３Ａと第１スペーサ４Ａの使用時、言い換えれば背中、腰、尻、及び太股に対応する箇所に上端高さ３５ｍｍ相当の調整棒３を挿入したときにおいて、マットレス２における背中位置の沈み込み深さは−４．０ｃｍ、腰位置の沈み込み深さは−３．３ｃｍ、尻位置の沈み込み深さは−４．０ｃｍ、太股位置の上方への突出高さは０．４ｃｍ、及び膝位置の沈み込み深さは−０．２ｃｍであった。
【００３１】
図１１に示すように、第２調整棒３Ｂと第１スペーサ４Ａの使用時、言い換えれば背中、腰、尻、及び太股に対応する箇所に上端高さ４０ｍｍ相当の調整棒３を挿入したときにおいて、マットレス２における背中位置の沈み込み深さは−４．１ｃｍ、腰位置の沈み込み深さは−３．２ｃｍ、尻位置の沈み込み深さは−３．３ｃｍ、太股位置の上方への突出高さは１．６ｃｍ、及び膝位置の上方への突出高さは０．５ｃｍであった。
図１２に示すように、第３調整棒３Ｃと第１スペーサ４Ａの使用時、言い換えれば背中、腰、尻、及び太股に対応する箇所に上端高さ４５ｍｍ相当の調整棒３を挿入したときにおいて、マットレス２における背中位置の沈み込み深さは−３．１ｃｍ、腰位置の沈み込み深さは−２．１ｃｍ、尻位置の沈み込み深さは−２．７ｃｍ、太股位置の上方への突出高さは１．３ｃｍ、及び膝位置の上方への突出高さは０．７ｃｍであった。
【００３２】
表１は上記の測定例１乃至測定例５を一覧形式にまとめたものである。
0006892719.tif 000002
【００３３】
測定例１乃至測定例５に基づき、「調整棒３を使用者の背中、腰、尻、及び太股に対応する位置に保持させることにより、使用者がマットレス２の上に寝たときの沈み込み深さを調整できる」こと、及び「沈み込み深さは、調整棒３の直径が大きいほど小さくなる」ことが判った。
従って、使用者の身長に応じて調整棒３を保持させる保持溝Ｇを選択することにより、使用者に適した位置に調整棒３を配置でき、使用者の好みに応じて調整棒３の調整高さ（調整棒３の上端高さ）を選択することにより、使用者に適した沈み込み深さに調整できることが判った。
調整棒３の上端高さを高くすることにより、マットレス２の沈み込み深さを小さくすることができ、使用者がマットレス２から受ける感触を硬くしたり、押圧感を強めることができる。
なお、円筒形状や円柱形状の第１調整棒３Ａ乃至第６調整棒３Ｆに代えて三角柱形状の第７調整棒３Ｇを選択することにより、使用者が感じる硬さや押圧力の強さをより強めることもできる。
【００３４】
＜第２実施形態＞
次に、第２実施形態のベッド１Ａについて説明する。
図１３は第２実施形態のベッド１Ａの説明図、図１４は第２実施形態のベッド１Ａにおいて、調整棒３を保持溝２１に保持させる手順を示す図である。第２実施形態のベッド１Ａは、調整棒３（棒状の調整部材）を保持する保持領域の構成が第１実施形態のベッド１と相違している。なお、第２実施形態のベッド１Ａにおいて、第１実施形態のベッド１と同じ構成は同じ符号を付して説明を省略する。
【００３５】
図１３に示すように、第２実施形態のベッド１Ａは、保持溝群２０が、床板１１Ａの上面に形成された複数の保持溝２１（保持領域、保持部）によって構成されていることを特徴とする。
各保持溝２１は、幅方向に沿って床板１１Ａの全幅に亘って形成されている。本実施形態において、各保持溝２１の断面形状は四角形状とされているが、調整棒３を保持できれば特に制限されない。例えば、各保持溝２１の断面形状を湾曲凹形状やＶ字形状にしてもよい。
各保持溝２１において、身長方向の溝幅は調整棒３の直径に基づいて定められている。例えば、溝幅は、調整棒３の直径と同じ寸法、或いは調整棒３の直径に対して許容寸法を加えた寸法に定められている。保持溝２１の長さは床板１１Ａの幅と同じ寸法である。また、各保持溝２１の深さは、保持溝２１内に保持された調整棒３の上端が床板１１Ａの上面よりも上方に位置する寸法に定められている。例えば、各保持溝２１の深さは、調整棒３の直径の１／４以上乃至１／２以下の範囲内に定められている。
【００３６】
各保持溝２１は、身長方向に沿って間隔を空けて形成されている。この間隔はベッド１Ａの仕様に応じて適宜定めることができる。例えば、各保持溝２１を、身長方向に沿って４０ｍｍ間隔乃至１００ｍｍ間隔の範囲で設けることができる。
各保持溝２１には、当該保持溝２１と同形状の蓋板２２が着脱自在に嵌合される。蓋板２２を保持溝２１に嵌合させることにより、蓋板２２の上面高さと床板１１の上面高さとが揃うため、平坦な形状にすることができる。反対に、蓋板２２を取り外して保持溝２１を露出させた状態でマットレス２を敷くことにより、寝心地に変化を与えることもできる。
【００３７】
図１４に示すように、調整棒３を保持溝２１に保持させるときには、蓋板２２を取り外して保持溝２１を露出させた後、調整棒３の下側部分を保持溝２１内に保持させる。また、調整棒３の上端高さを調整するときには、第１実施形態と同様に、調整棒３の両端部にスペーサ４を介在させたり、直径の大きな調整棒３を使用する。
以上の第２実施形態でも、第１実施形態と同様の作用効果を奏する。また、第２実施形態において保持溝２１は、床板１１Ａの上面に溝加工をするだけで済むため、容易に設けることができる。
【００３８】
＜第３実施形態＞
次に、第３実施形態のベッド１Ｂについて説明する。
図１５は第３実施形態のベッド１Ｂが備える収納溝３１を示す図、図１６は第３実施形態のベッド１Ｂにおいて、調整用蓋板材３２を収納溝３１に保持させる手順を示す図、図１７は調整用蓋板材３２の上にマットレス２を敷いた状態を示す断面図である。
第３実施形態のベッド１Ｂは、第１、第２実施形態の調整棒３に替えて調整用蓋板材３２（帯板形状の調整部材）を用いている点、床板１１Ｂの上面に複数の調整用蓋板材３２を個別に収納する複数の収納溝３１（保持領域、保持部）を形成している点、及び調整用蓋板材３２を反転させて収納溝３１内に保持させることにより、調整用蓋板材３２による高さ調整が行える点に特徴を有している。
【００３９】
図１５、及び図１６に示すように、第３実施形態のベッド１Ｂにおいて、調整用蓋板材３２は、幅方向に細長く扁平な帯板形状のベース部３２ａと、ベース部３２ａの表面であって身長方向の中央位置から筋状に突出し、幅方向に細長い筋状突出部３２ｂとを備えている。第３実施形態において筋状突出部３２ｂは、先端部が円弧形状に湾曲しているが、先端部を三角形状に尖らせてもよい。
収納溝３１の形状は、調整用蓋板材３２の形状と整合されている。すなわち、収納溝３１は、調整用蓋板材３２のベース部３２ａを収納する扁平な四角形状の溝本体３１ａと、調整用蓋板材３２の筋状突出部３２ｂを収納する湾曲凹形状の筋状溝部３１ｂとを備えている。
【００４０】
図１６、及び図１７に示すように、第３実施形態のベッド１Ｂにおいて、寝心地の調整に使用しない調整用蓋板材３２は、筋状突出部３２ｂを下側に向けて収納溝３１内に収納する。一方、寝心地の調整に使用する調整用蓋板材３２は、筋状突出部３２ｂを上側に向けてベース部３２ａを収納溝３１の溝本体３１ａ内に収納する。これにより、筋状突出部３２ｂが床板１１Ｂの上面よりも上方に突出し、床板１１の上にマットレス２を敷くと、マットレス２の上面は調整用蓋板材３２（筋状突出部３２ｂ）の位置において局所的に盛り上がる。使用者がマットレス２の上に仰臥姿勢で寝ると、使用者の体重によってマットレス２が沈み込むが、筋状突出部３２ｂが上方に突出した箇所は、筋状突出部３２ｂを収納溝３１内に収納したときと比較して沈み込み深さが小さくなるために寝心地を調整できる。
また、筋状突出部３２ｂの上端高さを上昇させるときには、図１５、図１７に示す帯板形状のスペーサ３３を溝本体３１ａ内に嵌合し、スペーサ３３を介して調整用蓋板材３２を取り付ければよい。
第３実施形態のベッド１Ｂでは、寝心地の調整に使用しない調整用蓋板材３２を収納溝３１内に収容しておくことができ、寝心地の調整に使用するときに調整用蓋板材３２を反転させてベース部３２ａを収納溝３１の溝本体３１ａ内に嵌合すればよいので、調整用蓋板材３２を紛失してしまう不都合を抑制できる。
【００４１】
＜第４実施形態＞
次に、第４実施形態のベッド１Ｃについて説明する。
図１８は第４実施形態のベッド１Ｃが備える収納溝４１を示す図、図１９は第４実施形態のベッド１Ｃにおいて、調整用蓋板材４２を収納溝４１に保持させる手順を示す図、図２０は調整用蓋板材４２の上にマットレス２を敷いた状態を示す断面図である。
第４実施形態のベッド１Ｃは、第３実施形態の調整用蓋板材３２に替えて帯板形状の調整用蓋板材４２（帯板形状の調整部材）を用いている点、床板１１Ｃの上面に複数の調整用蓋板材４２を個別に収納する複数の収納溝４１（保持領域、保持部）を形成している点、及び調整用蓋板材４２を９０度回転させて収納溝４１内に保持させることにより、調整用蓋板材４２による高さ調整が行える点に特徴を有している。
【００４２】
図１８、及び図１９に示すように、第４実施形態のベッド１Ｃにおいて、調整用蓋板材４２は、幅方向に細長く扁平な帯板形状であり、且つ一対の長辺部４２ａをそれぞれ半円形状に形成している。
収納溝４１の形状は、調整用蓋板材４２の形状と整合されている。すなわち、収納溝４１は、調整用蓋板材４２を収納する扁平な四角形状の溝本体４１ａと、調整用蓋板材４２が９０度回転されたときに、下側に位置する長辺部４２ａを収納する筋状溝部４１ｂとを備えている。
図１９、及び図２０に示すように、第４実施形態のベッド１Ｃにおいて、寝心地の調整に使用しない調整用蓋板材４２は溝本体４１ａに収納されており、調整用蓋板材４２の上面と床板１１Ｃの上面とを同じ高さに揃えられている。一方、寝心地の調整に使用する調整用蓋板材４２は、一対の長辺部４２ａが上下方向に向くように９０度回転させ、下側に位置する長辺部４２ａを筋状溝部４１ｂに収納する。これにより、上側の長辺部４２ａが床板１１Ｃの上面よりも上方に突出し、床板１１Ｃの上にマットレス２を敷くと、マットレス２の上面は調整用蓋板材４２の位置において局所的に盛り上がり、寝心地を調整できる。
【００４３】
なお、第４実施形態のベッド１Ｃでは、溝本体４１ａに収納される調整用蓋板材４２とは別に、板幅（一対の長辺部同士の間隔）が異なる他の調整用蓋板材４２’を用意しておき、他の調整用蓋板材４２’を用いることにより、調整高さを異ならせることができる。
第４実施形態のベッド１Ｃでも、寝心地の調整に使用しない調整用蓋板材４２を収納溝４１内に収容しておくことができ、寝心地を調整するときに調整用蓋板材４２を９０度回転させて下側に位置する長辺部４２ａを筋状溝部４１ｂに収納すればよいので、調整作業が容易である。
【００４４】
＜変形例について＞
調整部材に関し、前述した各実施形態では、円筒形状の調整棒３Ａ、３Ｂ、３Ｅ、３Ｆ、丸棒形状の調整棒３Ｃ、３Ｄ、三角形状の調整棒３Ｇ、帯板の表面に筋状突出部３２ｂを設けた調整用蓋板材３２、及び長辺部４２ａを半円形状にした調整用蓋板材４２を例示したが、これらに限定されるものではない。調整部材は、床板１１の上面とマットレス２の下面との間に介在し、使用者が寝たときのマットレス２の沈み込み深さを、調整部材の非使用時と比較して抑制するものであればよい。
穴あき丸管によって作製された第６調整棒３Ｆに関し、内周側空間に芳香剤や乾燥剤を詰めてもよい。第６調整棒３Ｆの内周側空間に芳香剤を詰めることにより、芳香剤から良い香りを放出させることができる。また、第６調整棒３Ｆの内周側空間に乾燥剤を詰めることにより湿度を下げることができる。
【００４５】
前述した各実施形態では、複数本の調整棒３を、床板１１の上面とマットレス２の下面との間に介在させたが、少なくとも１本の調整棒３を床板１１の上面とマットレス２の下面との間に介在させればよい。
【００４６】
調整部材を着脱自在に保持する保持領域（保持部）に関し、第１実施形態では複数のブロック片１２ａ同士の間に形成された保持溝Ｇによって構成され、第２実施形態では調整棒３を保持する保持溝２１によって構成され、第３実施形態、及び第４実施形態では調整用蓋板材３２、４２を収納可能な収納溝３１、４１によって構成されていたが、これらの構成に限定されない。保持領域は、調整部材の少なくとも両端を身長方向への移動を制限しつつ着脱自在に保持できればよい。
【００４７】
敷物に関し、前述の各実施形態では、発泡ウレタン製のクッション材を中材とし、当該中材を側生地で包んだマットレス２を例示した。しかしながら、敷物はマットレス２に限定されない。寝心地の調整機能を有してない各種の敷物を使用できる。
例えば、中材として木綿を使用した綿入り敷布団であってもよいし、中材として羽毛を使用した羽毛敷き布団であってもよいし、中材として羊毛を使用した羊毛敷き布団であってもよいし、中材として合成繊維を使用した合繊敷き布団であってもよい。
同様に、マットレス２に関しても、発泡ウレタン以外の発泡樹脂性のクッション材を用いたものであってもよいし、コイル製のクッション材を用いたものであってもよいし、樹脂製ファイバーを厚手の板状に整形したファイバー製のクッション材を用いたものであってもよい。
さらに、敷物として、単体で使用する敷きパッドを用いてもよい。
【００４８】
[本発明の実施態様例と作用、効果のまとめ]
＜第一の実施態様＞
本態様に係るベッド１は、上面に敷物（マットレス２）が敷かれる床板１１と、床板１１の上面と敷物の下面との間であって仰臥位の使用者の身長方向と交差する幅方向に沿って配置され、且つ幅方向に長い形状の調整部材（調整棒３、調整用蓋板材３２、４２）と、床板１１の少なくとも幅方向両端に身長方向に沿って間隔を空けて設けられ、調整部材の少なくとも両端を身長方向への移動を制限しつつ着脱自在に保持する複数の保持領域（各保持溝Ｇ、２１、各収納溝３１、４２）と、を備え、保持領域に保持された調整部材の高さが調整自在な構成を有することを特徴とする。
本態様に係るベッド１によれば、保持領域に調整部材を保持させた状態で敷物を敷き、その後、使用者が敷物の上に寝ると、調整部材を保持させなかったときと比較して、敷物の沈み込み深さが小さくなる。また、使用者は、調整部材が介在することにより、調整部材が介在しなかったときと比較して硬い感触、或いは強い押圧感を得ることができる。
このように本態様のベッド１によれば、寝心地の調整機能を有していない敷物を使用しながらも寝心地を高い精度で調整できる。
【００４９】
＜第二の実施態様＞
本態様に係るベッド１は、保持領域（各保持溝Ｇ、２１、各収納溝３１）に保持された調整部材の高さを調整する高さ調整部を備え、高さ調整部は、保持部に対して着脱自在に取り付けられ、且つブロック片１２ａに保持された調整棒３と床板１１の上面との間に介在するスペーサ４、３３であることを特徴とする。
本態様に係るベッド１によれば、スペーサ４、３３を介在させることによって調整部材の高さを容易に調整することができる。また、調整部材の高さを高くすることにより、敷物の沈み込み深さを小さくすることができ、使用者が敷物から受ける感触を硬くしたり、押圧感を強めることができる。
【００５０】
＜第三の実施態様＞
本態様に係るベッド１は、床板１１の幅方向両端に、身長方向に沿って取り付けられた一対のサイドボード１３を備え、保持領域（各保持溝Ｇ）は、一対のサイドボード１３の各内表面に、身長方向に沿って間隔を空けて固定された複数のブロック片１２ａによって構成されていることを特徴とする。
本態様に係るベッド１によれば、保持領域の構成を簡素化できる。
【００５１】
＜第四の実施態様＞
本態様に係るベッド１において、保持領域は、床板１１の上面に、幅方向に沿って形成された複数の溝（保持溝２１、収納溝４１）であることを特徴とする。
本態様に係るベッド１によれば、保持領域を容易に設けることができる。
【００５２】
＜第五の実施態様＞
本態様に係るベッド１において、調整部材（調整用蓋板材３２、４２）は、溝（収納溝４１）内に収納されていることを特徴とする。
本態様に係るベッド１によれば、調整部材を紛失してしまう不都合を抑制できる。
【符号の説明】
【００５３】
１…第１実施形態のベッド、１Ａ…第２実施形態のベッド、１Ｂ…第３実施形態のベッド、１Ｃ…第４実施形態のベッド、２…マットレス（敷物）、３…調整棒、３Ａ…第１調整棒、３Ｂ…第２調整棒、３Ｃ…第３調整棒、３Ｄ…第４調整棒、３Ｅ…第５調整棒、３Ｆ…第６調整棒、３Ｇ…第７調整棒、４…スペーサ、４Ａ…第１スペーサ、４ａ…湾曲凹所、４Ｂ…第２スペーサ、１１…第１実施形態の床板、１１Ａ…第２実施形態の床板、１１Ｃ…第３実施形態の床板、１２…保持溝群、１２ａ…ブロック片（保持部材）、１３…サイドボード、１４…天板、１５…フットボード、１６…脚補強板、１７…補強桟、１８…支持桟、２０…保持溝群、２１…保持溝（保持領域、保持部）、２２…蓋板、３１…収納溝（保持領域、保持部）、３１ａ…溝本体、３１ｂ…筋状溝部、３２…調整用蓋板材、３２ａ…ベース部、３２ｂ…筋状突出部、３３…スペーサ、４１…収納溝（保持領域、保持部）、４１ａ…溝本体、４１ｂ…筋状溝部、４２…調整用蓋板材、４２’…他の調整用蓋板材、Ｇ（Ｇ１乃至Ｇ２３）…保持溝（保持領域、保持部）、ＣＶ…空洞
【要約】
【課題】寝心地の調整機能を有していないマットレス等の敷物を使用しながらも寝心地を高い精度で調整できるようにする。
【解決手段】ベッド１は、上面にマットレス２が敷かれる床板１１と、床板１１の上面とマットレス２の下面との間であって仰臥位の使用者の身長方向と交差する幅方向に沿って配置され、且つ幅方向に長い形状の調整棒３と、床板１１の少なくとも幅方向両端に身長方向に沿って間隔を空けて設けられ、調整部材の少なくとも両端を身長方向への移動を制限しつつ着脱自在に保持する複数の保持領域（保持溝Ｇ）と、を備え、保持領域に保持された調整棒３の高さが調整自在な構成を有することを特徴とする。
【選択図】図１【図１】
0006892719.tif 000003
【図２】
0006892719.tif 000004
【図３】
0006892719.tif 000005
【図４】
0006892719.tif 000006
【図５】
0006892719.tif 000007
【図６】
0006892719.tif 000008
【図７】
0006892719.tif 000009
【図８】
0006892719.tif 000010
【図９】
0006892719.tif 000011
【図１０】
0006892719.tif 000012
【図１１】
0006892719.tif 000013
【図１２】
0006892719.tif 000014
【図１３】
0006892719.tif 000015
【図１４】
0006892719.tif 000016
【図１５】
0006892719.tif 000017
【図１６】
0006892719.tif 000018
【図１７】
0006892719.tif 000019
【図１８】
0006892719.tif 000020
【図１９】
0006892719.tif 000021
【図２０】
0006892719.tif 000022